(57)【特許請求の範囲】
【請求項１】
ドア枠を有し、壁パネルを床パンの壁パネル載置面上に載置することで構成されるユニットバスにおいて、
床パンの壁パネルが載置された箇所の全周縁に、前記壁パネルと間隔をおいて配設される立ち上がり部を配設して、前記壁パネル、前記壁パネル載置面及び前記立ち上がり部にて溝を構成し、
前記溝全体にシーリングの不十分な箇所において室内側から壁パネルの背後に浸入した水を溜めるために、
前記溝から排出する構造を設けずに、
前記壁パネルを前記壁パネル載置面に載置する際に止水パッキンによって接合し、
前記床パンと前記ドア枠との間に乾式止水材を前記立ち上がり部上端まで挟み込み、
前記溝の体積、表面積は、浸水の発生頻度に応じて予想される最大の浸水量または溜水の該溝からの最大の蒸発量を考慮して決定することを特徴とするユニットバス。
【発明の詳細な説明】
【技術分野】
【０００１】
本発明は、床パンと壁パネルとを有するユニットバスに係り、特に浴室床面より高い位置に床パンの壁パネル載置面を有するユニットバスの漏水対策に関するものである。
【背景技術】
【０００２】
従来、床パンの上に壁パネルを載置して組み立て、その間に防水構造を有するユニットバスがある（例えば、特許文献１参照）。
【０００３】
通常、床パンと壁パネルとの接合部或は壁パネル間にはシリコンなどのシール材にてシーリングを行うことで、ユニットバスの室内から外部への浸水を防止する。しかし、施工不良によりシーリングが不十分であったり、時間が経過してシール材が劣化して亀裂が生じると、シーリングの不十分な箇所において室内側から壁パネルの背後に水が浸入し、この水がユニットバス外部への漏水となる事態が起こる。該漏水が生ずると、床パンが設置される建築躯体を傷める等の問題が生じる。
【０００４】
このため、特許文献１に記載の発明においては、このような漏水を防止すべく、立ち上がりのある床パンの壁パネル載置面に、縦穴及び横穴から構成され室内側に通ずる排水口を空けて、壁パネルの背後へ浸入した水を、室内側に戻す機構を設けている。その他の従来技術としても、多くは壁パネルの裏に浸水した水を排水口を設けて排水する構造である。これは、すぐに強制的に排水する考えに基いている。
【０００５】
【特許文献１】特開２００３−６４７４８号公報
【発明の開示】
【発明が解決しようとする課題】
【０００６】
通常、シーリングが不十分な部分より、壁パネルの裏側に水が浸入した場合、その水を受け止めておくか、すぐに排出する構造がなければ、その水が床パンの外部に漏れて床パンが設置される建築躯体を傷めてしまう。
【０００７】
ここで、排出構造の例として特許文献１のように縦穴及び横穴のある複雑な形状の排水口を床パンに設けることが提案されているが、このように成型すると手間がかかる。例えば、床パンにＦＲＰ等を材料としてプレス成型をしようとする場合、横方向の穴を成型するための型を作ることはできない。すなわち、床パン上の壁パネル載置面に排水口としての縦穴及び横穴をプレス成型のみで作ることは困難となる。そうすると、上記背景技術のような排水口を設けるためには、プレス成型にて形成された床パンの壁パネル載置面に排水口を別途空ける必要があり、これらの手間は、コストアップにつながるという問題がある。
【０００８】
また、立ち上がりのある床パンにおいて、床パンの床面とドア枠の下端とを同じ高さに形成して出入口の段差を無くす構成とする場合、床パンの立ち上がりを切り欠いてドア枠を設置する必要がある。この場合、壁パネル裏側に水が浸入しても、ユニットバス外への漏れを防ぐために、床パンの立ち上がりと切欠の端部から外部へ漏水しないようにドア枠との間の止水性をいかに確保するかが問題となる。
【０００９】
本発明の目的は、壁パネルの裏側に浸入した水が床パンの外部に漏れないような構成を、簡易かつ確実に実現することである。
【課題を解決するための手段】
【００１０】
上記目的を達成するための本発明に係る構成は、ドア枠を有し、壁パネルを床パンの壁パネル載置面上に載置することで構成されるユニットバスにおいて、床パンの壁パネルが載置された箇所の全周縁に、前記壁パネルと間隔をおいて配設される立ち上がり部を配設して、前記壁パネル、前記壁パネル載置面及び前記立ち上がり部にて溝を構成し、前記溝全体にシーリングの不十分な箇所において室内側から壁パネルの背後に浸入した水を溜めるために、前記溝から排出する構造を設けずに、前記壁パネルを前記壁パネル載置面に載置する際に止水パッキンによって接合し、前記床パンと前記ドア枠との間に乾式止水材を前記立ち上がり部上端まで挟み込み、前記溝の体積、表面積は、浸水の発生頻度に応じて予想される最大の浸水量または溜水の該溝からの最大の蒸発量を考慮して決定することを特徴とする。
【発明の効果】
【００１１】
本発明は、上述の構成を有するので、前記溝に確実に水を溜めることができる。壁パネルの裏側には常時浸水が発生することはないため、浸水される水量と前記溝に溜まった水の蒸発量を考慮して前記溝を設計すれば、溜まった水を確実に溜めることができるため、特別に前記溝から排出する構造を設ける必要がない。このため、壁パネルの裏側に浸入した水が床パンの外部に漏れないような構成を、簡易かつ確実に実現することができる。
【発明を実施するための最良の形態】
【００１２】
（床パン10の周縁に水を溜めるための溝Ｄを配設する構造の説明）
図を用いて、本発明のユニットバスの実施形態を説明する。
【００１３】
図１に示すように、本発明のユニットバスＡは、床パン10の上に浴槽１等の内装品を載置し、床パン10の周囲に複数の壁パネル20とドア枠30を設置することで構成される。本発明は、該床パン10の全周縁に水を溜める溝を設けて、壁パネルの裏側に浸入した水を溜めることにより、すぐに外部へ漏らさないようにしたことを特徴とする。以下、ユニットバスの構造について詳細に説明する。
【００１４】
図２に示すように、ドア枠30を設置部分を除く床パン10の全周縁には、壁パネル20を載置する壁パネル載置面10ａが形成され、該壁パネル載置面10ａのさらに周縁には、立ち上がり部10ｂが壁パネル20と間隔をあけて配置される。ここで、壁パネル20を壁パネル載置面10ａに載置し、シリコンやゴム系発泡剤の止水パッキン11によって接合すると、壁パネル20の外周と立ち上がり部10ｂとの間に溝Ｄが形成される。
【００１５】
次にドア枠30と床パン10との接合部の構成について説明する。ドア枠の下端と床面との間は、浴室の安全性やバリアフリーの観点から、段差のない構造が好ましい。ここで、本発明のように、周縁に床面よりも高い位置に壁パネル載置面10ａ及び立ち上がり部10ｂがある床パン10にドア枠30を設置する場合には、立ち上がり部10ｂを切り欠いた形状にする必要がある。このため、床パン10とドア枠30との間から壁パネルの裏側に浸水し、床パン10外部に漏水しないための止水性が問題となる。
【００１６】
本発明においては、図３に示すように、床パン10とドア枠30との間に乾式止水材31を立ち上がり部上端まで挟み込んでいる。これによって、床パン10の周縁及び壁パネル20により形成される溝Ｄは、ドア枠30との間で確実に止水される。
【００１７】
尚、床パン10は通常、ＦＲＰ等を材料としてプレス成型やハンドレイアップ成型にて形成されるが、一つの型を使って床パン10全体を一度に形成する場合と、床パン10の一部を型取った複数の型を使って床パンの一部を形成し（この各々の部分を分割パンという）、これらをつなぎ合わせて床パン10を形成する場合がある。図４に分割パンの接合部の例を示す。
【００１８】
ここで図４に示すように、各々の分割パン10Ａ、10Ｂをつなぎ合わせる場合、特に立ち上がり部の接合部分の止水性が問題となるが、本発明においては、壁パネル載置面10ａ及び立ち上がり部10ｂをも含めた分割パン10Ａ、10Ｂの継ぎ目を乾式止水材12で埋めることにより、止水性を確保している。
【００１９】
このように、本発明においては、床パン10の壁パネル載置面10ａ、立ち上がり部10ｂ及び壁パネル20とで溝Ｄを形成し、溝Ｄとドア枠30との間を乾式止水材31を介して接合することで、壁パネル20の裏に浸水した水を確実に溜めて漏水させないことができる。
【００２０】
ドア枠30部分を除く床パン10の全周に、壁パネル20の裏に浸水した水を溜めるための溝Ｄが形成されるため、例えば、シール材の劣化等により、室内側から壁パネルの背後に水が浸入する事態が起こったとしても、浸入した水を溝Ｄの中に確実に溜めておくことができる。
【００２１】
このように、水を溝Ｄに確実に溜めておくことができるため、浸入した水が蒸発して溝Ｄからなくなるまで、浸入した水を床パンの外部に漏らさないようにすることができる。尚、溝Ｄの体積や表面積については、浸水の発生頻度に応じて予想される最大の浸水量や、溜水の溝Ｄからの最大の蒸発量を考慮して決定する。また、乾式止水材によって確実に止水をすることができるため、現場での施工不良の発生を防止することができる。
【産業上の利用可能性】
【００２２】
本発明は、止水構造を有するユニットバスに活用することができる。
【図面の簡単な説明】
【００２３】
【図１】ユニットバスＡの組立て時の説明図である。
【図２】床パン10と壁パネル20との間に形成される溝の斜視図である。
【図３】床パン10とドア枠30との間の止水構造の説明図である。
【図４】分割パンの接合部の斜視図である。
【符号の説明】
【００２４】
Ａ …ユニットバス、Ｄ …溝、
１ …浴槽、
10 …床パン、10ａ …壁パネル載置面、10ｂ …立ち上がり部、
10Ａ …分割パン、10Ｂ …分割パン、
11 …止水パッキン、12 …乾式止水材、
20 …壁パネル、
30 …ドア枠、31 …乾式止水材、
【図１】
0003995638.tif 000002
【図２】
0003995638.tif 000003
【図３】
0003995638.tif 000004
【図４】
0003995638.tif 000005